【手続補正書】
【提出日】平成18年10月24日(2006.10.24)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵し、把手部の少なくとも一部を収納自在に設けた掃除機本体と、前記掃除機本体に接続されたホース、延長管及び吸込具を具備し、前記延長管に設けた突部と前記把手部に設けた保持部により、前記吸込具から掃除機本体までをスタンド収納する電気掃除機。
【請求項２】  電動送風機を内蔵し、把手部の少なくとも一部を収納自在に設けた掃除機本体と、前記掃除機本体に接続されたホース、延長管及び吸込具を具備し、前記吸込具に設けた突部と前記把手部に設けた保持部により、前記吸込具から掃除機本体までをスタンド収納する電気掃除機。
【請求項３】  把手部を掃除機本体の上方部に設けた請求項１または２記載の電気掃除機。
【請求項４】  把手部が掃除機本体の上下方向に移動可能で、前記掃除機本体に前記把手部の少なくとも一部が収納自在な請求項１〜３のいずれか１項に記載の電気掃除機。
【請求項５】  把手部の端部が掃除機本体後方部に軸支され、前記把手部の他端部が前記掃除機本体前方方向に回動し、前記掃除機本体に前記把手部の少なくとも一部が収納自在な請求項１〜４のいずれか１項に記載の電気掃除機。
【発明の詳細な説明】
【０００１】
【発明の属する技術分野】
本発明は、電気掃除機本体の収納形態に関するものである。
【０００２】
【従来の技術】
従来この種の電気掃除機は、図４に示すように、一般的に掃除機本体１０１を起こし掃除機本体１０１の底面１０２に設けた挿入口１０５に、延長管１０３に設けられたストッパー１０４を差込み、延長管１０３、ホース１０６が立った状態となるスタンド状態にして収納していた。
【０００３】
【発明が解決しようとする課題】
しかしながら、上記従来の構成においては、掃除機本体１０１の底面１０２に設けた、延長管１０３のストッパー１０４の挿入口１０５は、掃除機本体１０１より幾らか突出しており、掃除機本体１０１を移動させ段差を乗り上げる際など前記挿入口１０５の凸部が被掃除面に当たってしまうことがあった。そのため挿入口１０５と被掃除面との距離を広げるように挿入口１０５の位置を前記掃除機本体１０１内に移動させると、集塵室（図示せず）の中に入り込むことになり、集塵室（図示せず）の必要容積を確保するためには、掃除機本体１０１を大きくする必要がである。また、前記挿入口１０５の掃除機本体１０１の底面１０２に入り込むことで、延長管１０３に設けたストッパー１０４を大きくしないと挿入しづらくなるが、そのとき、掃除中、大きくなった前記ストッパー１０４が被掃除面に当たりやすくなることで被掃除面に傷が付く可能性が出てくる。
【０００４】
本発明は、以上のような上記従来の課題を解決しようとするものであって、掃除機本体１０１の底面１０２に凸凹部を設けず、かつ掃除機本体１０１を大きくせずに、スタンド収納を可能にした電気掃除機を提供することを目的とする。
【０００５】
【課題を解決するための手段】
本発明は上記課題を解決するために、電動送風機を内蔵し、把手部の少なくとも一部を収納自在に設けた掃除機本体と、前記掃除機本体に接続されたホース、延長管及び吸込具を具備し、前記延長管に設けた突部と前記把手部に設けた保持部により、前記吸込具から掃除機本体までをスタンド収納するものである。
【０００６】
上記発明によれば、掃除機本体を起こしスタンド状態で吸込具からホースまでを保持して収納する際、掃除機本体を起こした後、前記把手部を前記掃除機本体より取り出し、前記把手部に設けた保持部に前記延長管に設けた突部を嵌合することで、ホースから先の部分は掃除機本体に保持され、スタンド収納ができる。また、前記把手部は掃除機本体に収納されていることで、前記掃除機本体底面の凸部はなくなり、掃除機本体の被掃除面移動中に敷居等の段差に当たることはない。さらに、機器使用中には前記把手部は前記掃除機本体に収納されていることで、デザイン性を損なうこともなく、コンパクトで使用性の高い電気掃除機を提供できる。
【０００７】
【発明の実施の形態】
本発明の請求項１記載の発明は、電動送風機を内蔵し、把手部の少なくとも一部を収納自在に設けた掃除機本体と、前記掃除機本体に接続されたホース、延長管及び吸込具を具備し、前記延長管に設けた突部と前記把手部に設けた保持部により、前記吸込具から掃除機本体までをスタンド収納するもので、掃除機本体を起こしスタンド状態で吸込具からホースまでを保持して収納する際、掃除機本体を起こした後、前記把手部を前記掃除機本体より取り出し、前記把手部に設けた保持部に前記延長管に設けた突部を嵌合することで、ホースから先の部分は掃除機本体に保持され、スタンド収納ができる。また、前記把手部は掃除機本体に収納されることで、前記掃除機本体底面の凸部はなくなり、掃除機本体の被掃除面移動中に敷居等の段差に当たることはない。さらに、掃除中には前記把手部は前記掃除機本体に収納されていることで、デザイン性を損なうこともなく、コンパクトで使用性の高い電気掃除機を提供できる。
【０００８】
本発明の請求項２記載の発明は、電動送風機を内蔵し、把手部の少なくとも一部を収納自在に設けた掃除機本体と、前記掃除機本体に接続されたホース、延長管及び吸込具を具備し、前記吸込具に設けた突部と前記把手部に設けた保持部により、前記吸込具から掃除機本体までをスタンド収納するもので、掃除機本体を起こしスタンド状態で吸込具からホースまでを保持して収納する際、掃除機本体を起こした後、前記把手部を前記掃除機本体より取り出し、前記把手部に設けた保持部に前記吸込具に設けた突部を嵌合することで、ホースから先の部分は掃除機本体に保持され、スタンド収納ができる。また、前記把手部は掃除機本体に収納されることで、前記掃除機本体底面の凸部はなくなり、掃除機本体の被掃除面移動中に敷居等の段差に当たることはない。さらに、掃除中には前記把手部は前記掃除機本体に収納されていることで、デザイン性を損なうこともなく、コンパクトで使用性の高い電気掃除機を提供できる。
【０００９】
本発明の請求項３記載の発明は、請求項１または２記載の発明において、把手部を掃除機本体の上方部に設けたもので、使用者が前記把手部を持って掃除機本体を持ち運ぶときに、特に使用性の高い電気掃除機を提供できる。
【００１０】
本発明の請求項４記載の発明は、請求項１〜３のいずれか１項に記載の発明において、把手部が掃除機本体の上下方向に移動可能で、前記掃除機本体に前記把手部の少なくとも一部が収納自在なもので、使用者が前記把手部を持って掃除機本体を持ち運ぶときや、スタンド収納時に特に使用性の高い電気掃除機を提供できる。
【００１１】
本発明の請求項５記載の発明は、請求項１〜４のいずれか１項に記載の発明において、把手部の端部が掃除機本体後方部に軸支され、前記把手部の他端部が前記掃除機本体前方方向に回動し、前記把手部の少なくとも一部が前記掃除機本体に収納自在なもので、使用者が前記把手部を持って掃除機本体を持ち運ぶときや、スタンド収納時に特に使用性の高い電気掃除機を提供できるとともに、掃除機本体の前記把手部収納部の容積を小さくでき、特にコンパクトな電気掃除機を提供できるものである。
【００１２】
【実施例】
（実施例１）
以下、本発明の第１の実施例について、図１，２を用いて説明する。図１，２に示すように、開口部を有する集塵室１及び電動送風機２を内蔵する電動送風機室３を並設し、本体外郭を形成する本体下部４と、前記集塵室１の開口部を覆う蓋体５及び、前記電動送風機室３の上方かつ本体外郭の少なくとも一部を形成する本体上部６を有する掃除機本体１５と、被掃除面上の塵埃を掻き上げる吸込具１４と、前記吸込具１４と前記掃除機本体１５を接続する延長管１３、ホース１２で電気掃除機は構成されている。
【００１３】
前記掃除機本体１５において、前記本体上部６にて軸支される回動自在の把手部７を掃除機本体１５の中心部より略後方に設け、かつ前記把手部７の長手方向が掃除機本体１５の前後方向に平行に配置し、前記把手部７の後端は前記本体上部６に回動自在に支軸８により支持され、また、前記本体上部６には略長円形の軸支穴９を設けて、前記把手部７が前記支軸８を中心に前記略長円形の前記軸支穴９内を図２のように円弧上にスライドし、前記掃除機本体１５内に収納されるよう構成されている。
【００１４】
さらに、前記把手部７には凹状の保持部１０を設けている。そして、掃除機本体１５を起こして、ホース１２より先の部分を掃除機本体１５に保持させるスタンド収納状態を行うために、延長管１３に突部１１を設けて、把手部７の前記保持部１０に延長管１３に設けた前記突部１１を挿入し保持できる形態にしてある。スタンド収納状態とは、図１に示すように、掃除機本体１５の後面側（若しくは側面側）の少なくとも一部を底面に接地させて掃除機本体１５を倒立させ、延長管１３を床面に対して略垂直状態で保持し、掃除機本体１５から吸込具１４までを縦方向にコンパクトにまとめて収納できるようにした状態のことである。本実施例においては、前記把手部７が掃除機本体１５の上方部に設けた場合の形態について述べているが、上方部に設けた場合に、特に使用者が前記把手部７を持って掃除機本体１５を持ち運び易いが、前記把手部７が掃除機本体１５の外周部分に収納自在に設けてあれば、前記掃除機本体１５の上方部以外の部分に前記把手部７が設けられていても、以下に述べる効果と同様の効果は得られる。
【００１５】
上記構成による動作、作用について以下説明する。掃除機本体１５を起こしたスタンド状態で吸込具１４からホース１２までを収納する際、掃除機本体１５を起こした後、把手部７を引き出し前記把手部７に設けた保持部１０に、延長管１３に設けた突部１１を挿入することで、スタンド状態が実施できる。そのため、従来例で述べたような延長管１０３に設けたストッパー１０４を挿入するための挿入口１０５による凸部が、本体下部４には無くなり、掃除機本体１５の被掃除面移動中に敷居等の段差部分で掃除機本体１５の本体下部４が被掃除面に当たることはなくなる。また掃除機本体１５に収納される把手部７に延長管１３に設けた前記突部１１保持の保持部１０を設けたため、掃除中には前記把手部７は前記掃除機本体１５に収納されているため、掃除機本体１５の外観を大きくすることもなく、デザイン性を損なうこともない。
【００１６】
さらに、前記把手部７の後部の支軸８中心よりも前記把手部７の重心の位置が高い場合、すなわち重心の位置が前記支軸８中心よりも掃除機本体１５の上方側にくるように前記把手部７及び支軸８の位置を構成すれば、掃除機本体１５を起こした時、前記把手部７はその自重により自然に引き出される状態になるため、使用者がスタンド状態での収納をするために、わざわざ前記把手部７を引き出す手間はなく、掃除機本体１５の使用性はさらに向上する。
【００１７】
（実施例２）
以下、本発明の第２の実施例について、図３を用いて説明する。なお、上記実施例と同一構成部品には同一符号を付し、その説明は省略する。図３に示すように、掃除機本体１５を起こして、ホース１２より先の部分を掃除機本体１５に保持させるスタンド収納状態を行うために、吸込具１４に突部１１を設けて、把手部７の前記保持部１０に前記吸込具１４に設けた前記突部１１を挿入し保持できる形態にしてある。
【００１８】
上記構成による動作、作用について以下説明する。掃除機本体１５を起こしたスタンド状態で吸込具１４からホース１２までを収納する際、掃除機本体１５を起こした後、把手部７を引き出し前記把手部７に設けた保持部１０に、吸込具１４に設けた突部１１を挿入することで、スタンド状態が実施できる。そのため、従来例で述べたような延長管１０３に設けたストッパー１０４を挿入するための挿入口１０５による凸部が、本体下部４には無くなり、掃除機本体１５の被掃除面移動中に敷居等の段差部分で掃除機本体１５の本体下部４が被掃除面に当たることはなくなる。また掃除機本体１５に収納される把手部７に吸込具１４に設けた前記突部１１保持の保持部１０を設けたため、掃除中には前記把手部７は前記掃除機本体１５に収納されているため、掃除機本体１５の外観を大きくすることもなく、デザイン性を損なうこともない。
【００１９】
また、前記延長管１３と吸込具１４が略直線状になるように構成された場合、スタンド収納状態を実施したとき、前記吸込具１４と掃除機本体１５との高さの位置関係より、前記吸込具１４に前記突部１１を設けることでスタンド収納状態がより実施し易い電気掃除機が実現できる。
【００２０】
【発明の効果】
本発明の請求項１記載の発明によれば、電動送風機を内蔵し、把手部の少なくとも一部を収納自在に設けた掃除機本体と、前記掃除機本体に接続されたホース、延長管及び吸込具を具備し、前記延長管に設けた突部と前記把手部に設けた保持部により、前記吸込具から掃除機本体までをスタンド収納するもので、掃除中には前記把手部は前記掃除機本体に収納されていることで、デザイン性を損なうこともなく、コンパクトで使用性の高い電気掃除機を提供できる。
【００２１】
また、本発明の請求項２記載の発明によれば、電動送風機を内蔵し、把手部の少なくとも一部を収納自在に設けた掃除機本体と、前記掃除機本体に接続されたホース、延長管及び吸込具を具備し、前記吸込具に設けた突部と前記把手部に設けた保持部により、前記吸込具から掃除機本体までをスタンド収納するもので、掃除中には前記把手部は前記掃除機本体に収納されていることで、デザイン性を損なうこともなく、コンパクトで使用性の高い電気掃除機を提供できる。
【００２２】
本発明の請求項３記載の発明によれば、請求項１または２記載の発明において、把手部を掃除機本体の上方部に設けたもので、使用者が前記把手部を持って掃除機本体を持ち運ぶときに、特に使用性の高い電気掃除機を提供できる。
【００２３】
本発明の請求項４記載の発明によれば、請求項１〜３のいずれか１項に記載の発明において、把手部が掃除機本体の上下方向に移動可能で、前記掃除機本体に前記把手部の少なくとも一部が収納自在なもので、使用者が前記把手部を持って掃除機本体を持ち運ぶときや、スタンド収納時に特に使用性の高い電気掃除機を提供できる。
【００２４】
本発明の請求項５記載の発明によれば、請求項１〜４のいずれか１項に記載の発明において、把手部の端部が掃除機本体後方部に軸支され、前記把手部の他端部が前記掃除機本体前方方向に回動し、前記掃除機本体に前記把手部の少なくとも一部が収納自在なもので、スタンド収納時に特に使用性の高い電気掃除機を提供できるとともに、掃除機本体の前記把手部収納部の容積を小さくでき、特にコンパクトな電気掃除機を提供できるものである。
【図面の簡単な説明】
【図１】
本発明の実施例１を示す電気掃除機のスタンド収納状態を示す側面図
【図２】
同電気掃除機本体の断面図
【図３】
本発明の実施例２を示す電気掃除機のスタンド収納状態を示す側面図
【図４】
従来の電気掃除機のスタンド収納状態を示す側面図
【符号の説明】
１  集塵室
２  電動送風機
３  電動送風機室
４  本体下部
５  蓋体
６  本体上部
７  把手部
８  支軸
９  軸支穴
１０  保持部
１１  突部
１３  延長管
１４  吸込具